(57)【要約】【課題】操作性、耐久性及び経済性の少なくとも一つに優れた電子機器を提供する。【解決手段】外部部材と電気的に接続可能な電子機器であって、前記外部部材がイジェクト可能に挿入される挿入口を有する筐体と、前記筐体に移動可能に取り付けられ、前記挿入口から突出する移動可能な一端を有し、前記一端が前記挿入口から離れる方向に移動すると前記外部部材を前記挿入口から突出させるイジェクト部材と、前記挿入口を密閉するように前記筐体に取り付け可能なカバーとを有することを特徴とする電子機器を提供する。【選択図】  図５
2004264931.tif 000002
【特許請求の範囲】
【請求項１】
外部部材と電気的に接続可能な電子機器であって、
前記外部部材が挿入される挿入口を有する筐体と、
前記筐体に取り付けられ、前記挿入口から突出する移動可能な一端を有し、前記一端が前記挿入口から離れる方向に移動すると前記外部部材を前記挿入口から突出させるイジェクト部材と、
前記挿入口を密閉するように前記筐体に取り付け可能なカバーとを有することを特徴とする電子機器。
【請求項２】
前記イジェクト部材は、シート状フィルムであることを特徴とする請求項１記載の電子機器。
【請求項３】
前記イジェクト部材は、前記外部部材を挟み込むように曲げられることを特徴とする請求項２記載の電子機器。
【請求項４】
前記電子機器は、前記外部部材を案内する案内部材を更に有し、
前記イジェクト部材は前記案内部材に取り付けられ、
前記案内部材は、前記筐体に取り付けられることを特徴とする請求項１記載の電子機器。
【請求項５】
前記カバーは、前記イジェクト部材の前記一端に係合することを特徴とする請求項１記載の電子機器。
【発明の詳細な説明】
【０００１】
【産業上の利用分野】
本発明は、一般に、電子機器に係り、特に、当該電子機器の機能を拡張する機能拡張部材の案内機構に関する。本発明は、例えば、携帯情報端末の筐体からＣＦ（Ｃｏｍｐａｃｔ  Ｆｌａｓｈ）カード、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カード、ＳＤ（Ｓｅｃｕｒｅ  Ｄｉｇｉｔａｌ）カードなどのカード型媒体をイジェクトする機構に好適である。
【０００２】
もっとも、本発明は、案内機構によって案内される機能拡張部材をカード型媒体に限定せず、スティック型など他の形状の記録担体、プリンタやディジタルカメラのコネクタ部など記録担体以外の周辺機器に広く適用可能である。また、本発明の電子機器は、流通分野用の携帯情報端末、携帯電話、パーソナル・ハンディホン・システムなどの移動通信端末、パーソナルコンピュータ（以下、「ＰＣ」という。）、パーソナルディジタルアシスタンツ（以下、「ＰＤＡ（Ｐｅｒｓｏｎａｌ  Ｄｉｇｉｔａｌ  Ａｓｓｉｓｔａｎｔｓ）」という。）などに広く適用することができる。
【０００３】
【従来の技術】
近年の電子機器、例えば、携帯情報端末は、携帯が便利なように小型化、薄型化、軽量化が益々要求されると共に複数の装置を携帯しなくてもよいように高機能化が求められている。例えば、従来から流通分野では、ロジスティックスでの集荷／配送情報の送受信、倉庫内での入出庫管理、棚卸、検品、店舗内での棚卸、発注を行う携帯情報端末が知られているが、かかる携帯情報端末では、スキャナ、プリンタ、バーコード機能を備えて多機能化が進んでいる。更に、最近では、携帯情報端末を様々な環境で使用するために、操作性及び耐久性の向上も要求されるようになってきている。
【０００４】
上述の携帯情報端末では、バックアップ用の外部記録担体として従来からＣＦカードを使用している。ＣＦカードは、ＰＣカードから派生した小型のメモリカードであり、これにより、携帯情報端末の情報をＰＣに移して管理することができる。
【０００５】
一般に、カード型媒体を端末に取り付ける方法としては、イジェクトボタンを使用する機構、カードを完全に端末の筐体に収納しないで露出したカードを把持して引き抜く機構、カードに貼り付けたテープ状のタブによるカードの取り出し機構、一度カードを端末内に押すと装着され、再びカードを押すと端末から部分的に飛び出すプッシュプッシュ機構が既に知られている。
【０００６】
イジェクトボタン機構やプッシュプッシュ機構は、端末の構造の複雑化と部品点数の増加による装置の大型化と重量化、コストアップを招くため、カードの部分露出方式やタブ方式が好ましい。
【０００７】
タブ方式を採用する携帯情報端末１０及び１０Ａを図７及び図８に示す。ＣＦカード３０には予めテープ状フィルムからなるタブ３２が貼り付けられている。ここで、図７は、ＣＦカード３０が筐体１２の右側面１３に着脱可能な携帯情報端末１０の斜視図である。図８は、ＣＦカード３０Ａが筐体１２Ａの後面１４Ａに着脱可能な携帯情報端末１０Ａの斜視図である。タブ３２及び３２Ａは、通常は、ＣＦカード３０及び３０Ａに貼り付けられた状態でＣＦカード３０及び３０Ａと一体で販売されている。ユーザは、ＣＦカード３０及び３０Ａの挿入時には、タブ３２及び３２ＡをＣＦカード３０及び３０Ａ上で折り曲げて外部には露出しないように挿入口１６及び１６ＡからＣＦカード３０及び３０Ａを押し込んで筐体に装着し、その後、ＣＦカードカバー３４及び３４Ａを更に取り付ける。ＣＦカード３０及び３０Ａを筐体１２及び１２Ａからイジェクトする際には、ユーザはＣＦカードカバー３４及び３４Ａを取り外し、タブ３２及び３２Ａをピンセットなどで挿入口１６及び１６Ａから引き出し、次いで、タブ３２及び３２Ａを掴んでＣＦカードを引き出す。なお、図７及び図８は、タブ３２及び３２Ａが挿入口１６及び１６Ａから引き出された状態を示している。
【０００８】
【発明が解決しようとする課題】
部分露出方式は、カードが筐体から部分的に露出しているために、ＣＦカードカバーを取り付けることができない。携帯情報端末は、雨天環境で使用される場合もあるので、耐久性、特に、耐水性が要求される。このため、部分露出方式は、耐水性に劣るという問題を有する。また、落下によってカードが筐体から抜け落ちて記憶情報が消失するという問題が発生する。
【０００９】
一方、タブ方式は、ＣＦカードカバー３４及び３４Ａを有しているので、耐水性と、カード３０及び３０Ａが抜け落ちるのを防止する保護機能が部分露出方式よりも向上している。しかし、ユーザは、ＣＦカード３０及び３０Ａのイジェクト時にタブ３２及び３２Ａを挿入口１６及び１６Ａから引き出さなければならないし、タブ３２及び３２Ａの上からＣＦカードカバー３４及び３４Ａを装着する際に、タブが挿入口１６及び１６Ａに挿入されていなければＣＦカード３０及び３０Ａの装着が困難になる。また、タブ３２及び３２Ａは薄いフィルムであり、ユーザはＣＦカード３０及び３０Ａの図示しないコネクタと情報携帯端末１００及び１００Ａとの電気的接続を解除する力をタブに加えるのは容易ではない。このように、タブ方式はタブの収納、展開及び引き出しの操作性が悪いという問題を有する。また、ＣＦカードカバー３４及び３４Ａが筐体１２及び１２Ａから分離して紛失するおそれがある。また、ＣＦカードカバー３４及び３４Ａを装着するとタブ３２及び３２Ａが折れ曲がるため、頻繁に使用すると破損するおそれがあり、耐久性が悪いという問題も有する。更には、メーカーがタブ３２及び３２Ａの貼り付いたＣＦカード３０及び３０Ａを製造して販売する場合には、ユーザには量販のＣＦカードを選択する余地がなくなるという経済上の問題も発生する。
【００１０】
そこで、本発明は、操作性、耐久性及び経済性の少なくとも一つに優れた電子機器を提供することを例示的な目的とする。
【００１１】
【課題を解決するための手段】
かかる目的を達成するために、本発明の一側面としての電子機器は、外部部材と電気的に接続可能な電子機器であって、前記外部部材がイジェクト可能に挿入される挿入口を有する筐体と、前記筐体に移動可能に取り付けられ、前記挿入口から突出する移動可能な一端を有し、前記一端が前記挿入口から離れる方向に移動すると前記外部部材を前記挿入口から突出させるイジェクト部材と、前記挿入口を密閉するように前記筐体に取り付け可能なカバーとを有することを特徴とする。かかる電子機器は、カバーが耐環境性（例えば、耐水性や防塵性）を確保し、イジェクト部材は挿入口から突出しているので操作性が向上している。また、ユーザは、イジェクト部材が取り付けられた専用の外部部材を購入する代わりに、量販の外部部材を選択することができるので、かかる電子機器は経済性に優れている。外部部材は、例えば、ＣＦカードなど電子機器の機能を拡張する機能拡張部材である。
【００１２】
前記イジェクト部材は、例えば、ＰＥＴ製のシート状フィルムやナイロン製のリボンなど、帯状部材から構成されてもよい。帯状部材は、厚みが殆どないので挿入口の厚さを外部部材の厚さに設定することができ、電子機器の大型化を防止することができる。前記イジェクト部材は透明な材料から構成されてもよい。イジェクト部材が外部部材と接続する基板に固定される場合に基板の情報をイジェクト部材を介して読むことができると共にイジェクト部材の設置の自由度も増加する。前記イジェクト部材は、前記外部部材を挟み込むように曲げられてもよい。これにより、例えば、イジェクト部材を一枚のシート材料を折り曲げることによって構成することができ、イジェクト部材を、例えば、イジェクト時に外部部材の端部を押圧する第１の部材と、当該第１の部材に接続されたシート状の第２の部材から構成する場合よりも部品点数が減少する。前記イジェクト部材は、前記外部部材とほぼ同一の幅を有することが好ましい。これにより、イジェクト部材に外部部材の案内機能を持たせることができる。
【００１３】
前記イジェクト部材は、前記挿入口に挿入された前記外部部材の前記電子機器とのコネクタ部を露出して、前記電子機器との電気的接続を可能にすることが好ましい。
【００１４】
前記電子機器は、前記イジェクト部材の前記一端の移動を規制する規制部を更に有することが好ましい。これにより、イジェクト部材が筐体から分離して紛失することを防止することができる。
【００１５】
前記電子機器は、前記外部部材を案内する案内部材を更に有し、前記イジェクト部材は前記案内部材に取り付けられ、前記案内部材は、前記筐体に取り付けられてもよい。イジェクト部材が案内部材に移動可能に取り付けられてもよいし、案内部材が筐体に移動可能に取り付けられてもよい。前記電子機器は、前記筐体に収納されて前記外部部材と電気的に接続する基板を更に有し、前記案内部材は前記基板に固定されてもよい。前記外部部材の挿入方向と直交する方向において、前記基板、前記イジェクト部材、前記外部部材、前記案内部材の順で整列してもよい。これにより、イジェクト部材が移動するとその上に外部部材が配置されるのでユーザにとって外部部材を確認する上で便宜である。また、代替的に、前記電子機器は、前記筐体に収納されて前記外部部材と電気的に接続する基板を更に有し、前記イジェクト部材は前記基板に貼り付けられてもよい。このように、イジェクト部材の取り付け場所や方法は限定されない。
【００１６】
前記イジェクト部材は、前記外部部材を挟み込むように曲げられ、前記挿入口に挿入された前記外部部材の前記電子機器とのコネクタ部を露出する中央孔を含み、前記イジェクト部材は前記中央孔から離れた部位において前記案内部材に固定されてもよい。イジェクト部材が中央孔で案内部材に固定されると、イジェクト時にイジェクト部材の中央孔の周囲に応力が集中してイジェクト部材が破損するおそれがあるからである。また、前記電子機器は、前記外部部材と電気的に接続するコネクタ部を有し、前記イジェクト部材は、前記外部部材を挟み込むように曲げられ、前記挿入口に挿入された前記外部部材の前記電子機器とのコネクタ部を露出する中央孔を含み、前記中央孔の大きさは曲げられた前記イジェクト部材が前記コネクタ部にからまない大きさに設定されることが好ましい。
【００１７】
前記カバーは、前記イジェクト部材の前記一端に係合することが好ましい。カバーとイジェクト部材が接続され、イジェクト部材は筐体に取り付けられているので、カバーが紛失することがなくなる。前記カバーと前記イジェクト部材の前記一端との係合力は前記外部部材と前記電子機器との電気的接続を切断する力よりも大きいことが好ましい。これにより、カバーを筐体から分離する動作で外部部材をイジェクトすることができる。もっとも、本発明は、前記カバーと前記イジェクト部材の前記一端との係合力は前記外部部材と前記電子機器との電気的接続を切断する力よりも小さい場合にも適用可能である。この場合には、イジェクト部材を移動する動作によって外部部材をイジェクトすることができるからである。例えば、前記イジェクト部材は、前記イジェクト部材の前記一端に前記カバーと係合する係合部を含み、前記カバーは、前記係合部が嵌合される溝と前記係合部を位置決めするリブとを有する。
【００１８】
前記イジェクト部材は、前記一端が他の部分よりも厚く構成されていることが好ましい。これにより、イジェクト部材の前記一端に力を加えることが容易になり、操作性が向上するからである。前記イジェクト部材の前記一端は、伸縮可能な蛇腹形状を有してもよい。これにより、イジェクト部材の前記一端が挿入口から突出していてもカバーによって密閉されることが可能になる。前記蛇腹形状は前記外部部材を前記筐体に挿入する機能を有することが好ましい。
【００１９】
本発明の他の目的と更なる特徴は、以下、添付図面を参照して説明される実施の形態において明らかになるであろう。
【００２０】
【発明の実施の形態】
以下、添付図面を参照して、本発明の一実施形態としての電子機器について説明する。本実施形態では、流通分野の情報携帯端末１００をかかる電子機器の一例として説明する。ここで、図１及び図２は、情報携帯端末１００の概観斜視図であり、図１はＣＦカードカバー１４２を取り外した状態、図２はＣＦカードカバー１４２を取り付けた状態を示した図である。
【００２１】
情報携帯端末１００は、流通業の発注、棚卸、検品、ルートセールスの売り上げ管理、製造業の工程管理、自治体、電気、ガスなどの検針、金融機関の渉外支援など広い流通分野に適用可能である。情報携帯端末１００は、携帯電話、各種ＬＡＮやＷＡＮなどのネットワークに接続してネットワーク通信を行うことができる。また、携帯情報端末１００は、ＰＣと互換性のあるＯＳで動作するため、ＣＦカード５０で情報をＰＣに写して管理することができる。ＣＦカード５０は、後述する筐体１０２の挿入口１０４から筐体１０２にイジェクト可能に挿入され、基板１０６と電気的に接続する。
【００２２】
情報携帯端末１００は、ＣＦカード５０がイジェクト可能に挿入される挿入口１０４を有する筐体１０２と、基板１０６と、プリンタ部１１０と、表示部１２０と、操作部１３０と、イジェクト機構１４０とを有する。
【００２３】
プリンタ部１１０は、操作部１３０を介して入力した情報や、外部記録担体やネットワークを介して入力された情報を印字する。イージーローディング機構を採用して用紙交換を簡素化し、例えば、感熱ラインドット方式によって最高２４行／秒の高速印字を実現する高速プリンタとして機能する。
【００２４】
表示部１２０は、例えば、ＬＣＤから構成され、操作部１３０を介して入力した情報や、外部記録担体やネットワークを介して入力された情報を表示する。表示部１２０を介して、ユーザは手書き入力をすることもできる。
【００２５】
操作部１３０は、例えば、タッチパネル、テンキー、ファンクションキー、電源スイッチ、リセットスイッチを含む。これらには、当業界で周知のいかなる技術をも適用することができるので、ここでは詳しい説明は省略する。
【００２６】
イジェクト機構１４０は、ＣＦカード５０をイジェクトする機構である。以下、図３乃至図６を参照して、イジェクト機構１４０について説明する。ここで、図３（ａ）は、情報携帯端末１００の内部構造を示す斜視図である。図３（ｂ）及び図３（ｃ）は図３（ａ）の領域Ａの部分拡大斜視図であり、図３（ｂ）はＣＦカードが装着された状態を示し、図３（ｃ）はＣＦカードがイジェクトされている途中を示している。図４は、シート状フィルムの概観斜視図である。図５（ａ）及び（ｂ）は、ＣＦガイドに取り付けられたシート状フィルムの上面図及び背面図であり、図５（ｃ）は、シート状フィルムが取り付けられたＣＦガイドの基板への取り付けを示す斜視図である。図６は、ＣＦカードカバーの背面図である。イジェクト機構１４０は、ＣＦカードカバー１４２と、シート状フィルム１５０と、ＣＦガイド１６０とを有している。
【００２７】
ＣＦカードカバー１４２は、挿入口１０４を密閉するように筐体１０２に取り付けられる。カバー１４２は、携帯情報端末１００の耐環境性（例えば、耐水性や防塵性）を確保する。
【００２８】
カバー１４２は、本実施形態では、フィルム１５０の端部１５２に係合している。より具体的には、カバー１４２は、図６に示すように、溝１４３と一対のリブ１４４とを有する。溝１４３は、後述するフィルム１５０の係合部１５１が嵌合する孔であり、リブ１４４は、係合部１５１を位置決めする。カバー１４２とフィルム１５０が接続され、フィルム１５０は筐体１４２内で固定されているので、この結果、カバー１４２が紛失することがなくなる。
【００２９】
カバー１４２とフィルム１５０の係合部１５１との係合力はＣＦカード５０と基板１０６のコネクタ１０７との結合力よりも大きい。これにより、カバー１４２を筐体１０２から分離する動作によってＣＦカード５０をイジェクトすることができる。もっとも、本発明は、カバー１４２とフィルム１５０の係合部１５１との係合力がＣＦカード５０とコネクタ１０７の結合力よりも小さい場合にも適用可能である。この場合には、フィルム１５０の係合部１５１を移動する動作によってＣＦカード５０をイジェクトすることができるからである。
【００３０】
シート状フィルム１５０は、筐体１０２に移動可能に取り付けられ、ＣＦカード５０をイジェクト時にイジェクト方向に押圧する機能を有する。このように、従来のタブ方式と異なり、ＣＦカード５０をイジェクトするためのイジェクト部材は筐体１０２に設けられている。この結果、ユーザは、タブ３２が取り付けられた専用のＣＦカード３０を購入する代わりに、量販のＣＦカード５０を選択及び購入することができるので、優れた経済性を提供している。
【００３１】
シート状フィルム１５０は、本実施形態では、ＰＥＴから構成されるが、耐折れ性に優れていれば他の材料、例えば、ナイロン製のリボンを使用してもよい。このような帯状部材は、厚みが殆どないので挿入口１０４の厚さをＣＦカード５０の厚さに設定することができ、情報携帯端末１００の大型化を防止することができる。
【００３２】
フィルム１５０は、透明な材料から構成されてもよい。これにより、ＣＦカード５０が電気的に接続される後述する基板１０６上に記載された情報（基板のロット番号、製造業者、基板の特性など）を、フィルム１５０を介して読むことができる。また、これにより、基板１０６に直接貼り付けるなどフィルム１５０の設置の自由度も増加する。
【００３３】
図４に示すように、フィルム１５０は、一枚のシート材料から構成され、係合部１５１と、蛇腹部１５４と、基部１５６と、中央孔１５７とを有する。
【００３４】
係合部１５１は、フィルム１５０の移動可能な端部であり、挿入口１０４から突出している。係合部１５１は、挿入口１０４から離れる方向に移動するとＣＦカード５０を挿入口１０４から突出させる機能を有する。挿入口１０４から予め突出しているのでユーザは従来のタブ方式のようにピンセットなどで挿入口１０４から取り出す必要がなく、操作性が向上している。
【００３５】
係合部１５１は、ＣＦカードカバー１４２の溝１４３に嵌合し、他の部分よりも厚さが厚く形成されている。これにより、フィルム１５０の係合部１５１にイジェクト力を加えることが容易になり、イジェクト時の操作性が向上する。より具体的には、図４の領域Ｂの拡大平面図に示すように、係合部１５１は、ＡＢＳ樹脂から構成された角柱状の軸１５２を包んだ形状を有する。
【００３６】
蛇腹部１５４は、伸縮可能に係合部１５１と基部１５６との間に設けられている。これにより、フィルム１５０の係合部１５０が挿入口１０４から突出していても蛇腹部１５４によって折り畳まれるために、カバー１４２が筐体１０２に取り付けられて筐体１０２を密閉することが可能になる。本実施形態では、蛇腹部１５４は、ＣＦカード５０を筐体１０２に挿入する機能を有する。
【００３７】
図４に矢印で示すように、フィルム１５０は、ＣＦカード５０を挟み込むように折り曲げられる。これにより、フィルム１５０を一枚のシート材料を折り曲げることによって構成することができ、イジェクト部材を、例えば、イジェクト時にＣＦカード５０のコネクタを有する端部を押圧する第１の部材と、当該第１の部材に接続された第２の部材から構成する場合よりも部品点数が減少する。もっともこのような構成を本発明は妨げるものではない。第１の部材は、例えば、金属やプラスチックの材料から構成され、ＣＦカード５０のコネクタを有する端部に垂直に、かつ、移動可能に筐体１０２に設けられる。第２の部材は、例えば、本実施形態のようなフィルム１５０、リボンその他の帯状、棒状、その他の形状を有する。
【００３８】
基部１５６は、ＣＦカード５０とほぼ同一の幅を有する。これにより、フィルム１５０にＣＦカード５０の案内機能を持たせることができる。基部１５６は、ＣＦガイド１６０に固定される固定部１５６ａを有する。
【００３９】
図５を参照するに、フィルム１５０は、ＣＦガイド１６０に固定される。図５（ｂ）に示すように、ＣＦガイド１６０の上面１６２に固定部１５６ａを介して固定されたフィルム１５０は、図５（ａ）に示すＣＦガイド１６０の下面１６４側に、即ち、図５（ｂ）に示す矢印方向に、折り曲げられる。この結果、図５（ｃ）に示すような形状となる。
【００４０】
中央孔１５７は、挿入口１０４に挿入されたＣＦカード５０のコネクタ部を露出して、基板１０６との電気的接続を可能にする。中央孔１５７の大きさは折り曲げられたフィルム１５０が基板１０６のコネクタ１０７にからまない大きさに設定される。
【００４１】
フィルム１５０は、中央孔１５７から離れた部位においてＣＦガイド１６０に固定されることが好ましい。フィルム１５０が中央孔１５７でＣＦガイド１６０に固定されると、イジェクト時にフィルム１５０の中央孔１５７の両端１５８に応力が集中してイジェクト部材が破損するおそれがあるからである。
【００４２】
ＣＦガイド１６０は、ＣＦカード５０の挿入を案内する機能を有し、例えば、ＡＢＳ樹脂から構成される。ＣＦガイド１６０は、上面１６２と、下面１６４と、一対の取付部１６６とを有する。上面１６２には、上述のように、フィルム１５０が貼り付けられる。下面１６４とフィルム１５０との間でＣＦカード５０を挟み込む。取付部１６６は基板１０６に設けられた取付孔１０８に係合する。別の実施形態では、ＣＦガイド１６０は、ネジその他の取付部材を介して基板１０６に固定される。また、本実施形態では、フィルム１５０がＣＦガイド１６０に対して移動可能に取り付けられているが、別の実施形態においては、ＣＦガイド１６０が筐体１０２に移動可能に取り付けられる。また、本実施形態では、ＣＦガイド１６０が基板１０６に固定されているが、フィルム１５０が基板１０６に直接貼り付けられて部分的に移動可能に固定されてもよい。このように、本発明は、フィルム１５０の取り付け場所や方法を限定するものではない。
【００４３】
ＣＦガイド１６０は、フィルム１５０の係合部１５１の移動を規制する規制部としても機能する。これにより、フィルム１５０が筐体１０２から分離して紛失することを防止することができる。本実施形態では、ＣＦガイド１６０は、取付部１６６と図５（ａ）及び（ｂ）に示す端部１６３が規制部として機能する。
【００４４】
図５（ｃ）に示すように、本実施形態では、フィルム１５０とＣＦガイド１６０のうち、フィルム１５０が下になるように、ＣＦガイド１６０は基板１０６に取り付けられる。この結果、フィルム１５０の係合部１５１が、図５（ｃ）において右方向に移動すると、その上にＣＦカード５０が配置された状態でイジェクトされる。これに対して、フィルム１５０が上になるような構成では、係合部１５１がイジェクト方向に移動するとＣＦカード５０はフィルム１５０の下に配置された状態でイジェクトされる。これではフィルム１５０が不透明の場合にはＣＦカード５０はユーザにとって見にくくなる。もっともユーザがかかる場合を気にしない場合やフィルム１５０が透明である場合など、本発明は、このような構成を除外するものではない。
【００４５】
以下、情報携帯端末１００の動作について説明する。まず、ユーザは、ＣＦカードカバー１４２を取り外す。ＣＦカード５０は、タブ３２が予め取り付けられた専用品ではなく、ユーザは量販のＣＦカード５０を選択することができるので経済性が向上している。また、ＣＦカードカバー１４２を取り外しても、ＣＦカードカバー１４２は係合部１５１と係合しているので筐体１０２から分離しない。この結果、ＣＦカードカバー１４２が紛失することを防止することができる。
【００４６】
次に、ユーザは、ＣＦカード５０を挿入口１０４から挿入し、ＣＦカードカバー１４２を筐体１０２に取り付ける。従来は、ユーザは、タブ３２を折り曲げて挿入口１６から挿入し、ＣＦカード３０と基板との接続が完了したことを確認した後でＣＦカードカバー３４を取り付けていた。これに対して、本実施形態では、ＣＦカード５０のコネクタ部５２と基板１０６のコネクタ１０７との結合完了を確認せずに、ＣＦカードカバー１４２を筐体１０２に取り付けている。本実施形態では、蛇腹部１５４がＣＦカード５０の端部を挿入する機能を有し、挿入口１０４の深さはカバー１４２が筐体１０２に装着された場合にＣＦカード５０のコネクタ部５２と基板１０６のコネクタ１０７との結合が適当になされるように設計されている。従って、ユーザは、カバー１４２を筐体１０２に取り付けるだけでよいのでＣＦカード５０の挿入時の操作性が向上している。
【００４７】
カバー１４２によって耐環境性（例えば、雨天に対する耐水性や防塵性）が向上しており、情報携帯端末１００を様々な環境で安定して使用することを可能にしている。
【００４８】
ユーザは、携帯情報端末１００を操作して、所定の情報を入力、出力及び表示し、必要な情報をＣＦカード５０に格納する。その後、ＣＦカード５０の情報をオフィスのＰＣにコピーするためにＣＦカード５０をイジェクトする場合、ユーザは、カバー１４２を取り外す。上述のように、カバー１４２は紛失することがない。
【００４９】
次に、ユーザはカバー１４２をイジェクト方向（即ち、図３（ｃ）に示す矢印方向）に引く。カバー１４２とフィルム１５０の係合部１５１との係合力はＣＦカード５０と基板１０６のコネクタ１０７との結合力よりも大きく設定されているので、カバー１４２を筐体１０２から分離する動作によってＣＦカード５０をイジェクトすることができる。従来は、カバー３４を筐体１２から取り外した後でタブ３２をピンセットなどで挿入口１６から引き出してそれにユーザが引っ張り力を加えていたが、本実施形態ではそれらの作業が不要であるため操作性が向上している。更に、カバー１４２に力を加える方がタブ３２に力を加えるよりもはるかに容易であるので操作性は向上している。また、従来のタブ３２は折り曲げや収納状態によって皺になるなど耐久性が高くなかったが、蛇腹部１５４は予め伸縮可能に構成されているために耐久性は向上している。
【００５０】
なお、イジェクト時において、フィルム１５０は、図５（ｃ）に示す長さＬだけ移動する。かかる移動によってＣＦカード５０のコネクタ５２とはコネクタ１０７との接続は解除される。ＣＦカード５０は長さＬだけ挿入口１０４から突出するが、これをユーザが取り立つのに必要な力は、従来の部分露出方式よりもはるかに少なくてすむため操作性は向上している。
【００５１】
ＣＦカード５０を取り出した後は、ユーザは、カバー１４２を筐体１０２に装着することによって筐体１０２を再度密閉する。
【００５２】
以上、本発明の好ましい実施形態を説明したが、本発明はその要旨の範囲内で種々の変形及び変更が可能である。例えば、本実施形態は、ＣＦカードをイジェクトするイジェクト部材をシート状材料によって構成しているが、本発明は、イジェクト部材がシート状材料によって構成されることは要求しない。
【００５３】
本出願は更に以下の事項を開示する。
【００５４】
（付記１）  外部部材と電気的に接続可能な電子機器であって、
前記外部部材がイジェクト可能に挿入される挿入口を有する筐体と、
前記筐体に移動可能に取り付けられ、前記挿入口から突出する移動可能な一端を有し、前記一端が前記挿入口から離れる方向に移動すると前記外部部材を前記挿入口から突出させるイジェクト部材と、
前記挿入口を密閉するように前記筐体に取り付け可能なカバーとを有することを特徴とする電子機器。
【００５５】
（付記２）  前記イジェクト部材は、シート状フィルムであることを特徴とする付記１記載の電子機器。
【００５６】
（付記３）  前記イジェクト部材は透明な材料から構成されることを特徴とする付記１記載の電子機器。
【００５７】
（付記４）  前記イジェクト部材は、リボンであることを特徴とする付記１記載の電子機器。
【００５８】
（付記５）  前記イジェクト部材は、前記外部部材を挟み込むように曲げられることを特徴とする付記２又は４記載の電子機器。
【００５９】
（付記６）  前記イジェクト部材は、前記外部部材とほぼ同一の幅を有することを特徴とする付記５記載の電子機器。
【００６０】
（付記７）  前記イジェクト部材は、前記挿入口に挿入された前記外部部材の前記電子機器とのコネクタ部を露出して、前記電子機器との電気的接続を可能にすることを特徴とする付記１記載の電子機器。
【００６１】
（付記８）  前記電子機器は、前記イジェクト部材の前記一端の移動を規制する規制部を更に有することを特徴とする付記１記載の電子機器。
【００６２】
（付記９）  前記電子機器は、前記外部部材を案内する案内部材を更に有し、
前記イジェクト部材は前記案内部材に取り付けられ、
前記案内部材は、前記筐体に取り付けられることを特徴とする付記１記載の電子機器。
【００６３】
（付記１０）  前記電子機器は、前記筐体に収納されて前記外部部材と電気的に接続する基板を更に有し、前記案内部材は前記基板に固定されることを特徴とする付記９記載の電子機器。
【００６４】
（付記１１）  前記外部部材の挿入方向と直交する方向において、前記基板、前記イジェクト部材、前記外部部材、前記案内部材の順で整列することを特徴とする付記９記載の電子機器。
【００６５】
（付記１２）  前記イジェクト部材は、前記外部部材を挟み込むように曲げられ、前記挿入口に挿入された前記外部部材の前記電子機器とのコネクタ部を露出する中央孔を含み、前記イジェクト部材は前記中央孔から離れた部位において前記案内部材に固定されることを特徴とする付記９記載の電子機器。
【００６６】
（付記１３）  前記電子機器は、前記筐体に収納されて前記外部部材と電気的に接続する基板を更に有し、前記イジェクト部材は前記基板に貼り付けられることを特徴とする付記１記載の電子機器。
【００６７】
（付記１４）  前記カバーは、前記イジェクト部材の前記一端に係合することを特徴とする付記１記載の電子機器。
【００６８】
（付記１５）  前記カバーと前記イジェクト部材の前記一端との係合力は前記外部部材と前記電子機器との電気的接続を切断する力よりも大きいことを特徴とする付記１４記載の電子機器。
【００６９】
（付記１６）  前記イジェクト部材は、前記イジェクト部材の前記一端に前記カバーと係合する係合部を含み、
前記カバーは、前記係合部が嵌合される溝と前記係合部を位置決めするリブとを有することを特徴とする付記１記載の電子機器。
【００７０】
（付記１７）  前記イジェクト部材は、前記一端が他の部分よりも厚く構成されていることを特徴とする付記１記載の電子機器。
【００７１】
（付記１８）  前記イジェクト部材の前記一端は、伸縮可能な蛇腹形状を有することを特徴とする付記１記載の電子機器。
【００７２】
【発明の効果】
以上説明したように、本発明によれば、操作性、耐久性及び経済性の少なくとも一つに優れた電子機器を提供することができる。
【図面の簡単な説明】
【図１】ＣＦカードカバーを取り外した本発明による一実施形態の情報携帯端末の概観斜視図である。
【図２】ＣＦカードカバーを取り付けた図１に示す情報携帯端末の概観斜視図である。
【図３】図１に示す情報携帯端末の内部構成を示す斜視図及びその部分拡大図である。
【図４】図１に示す情報携帯端末のイジェクト機構のシート状フィルムの斜視図である。
【図５】図４に示すシート状フィルム、ＣＦガイド及び基板の関係を示す斜視図である
【図６】図２に示すＣＦカードカバーの背面図である。
【図７】従来のＣＦカードのイジェクト機構としてのタブ方式を使用する携帯情報端末の一例を示す概観斜視図である。
【図８】従来のＣＦカードのイジェクト機構としてのタブ方式を使用する携帯情報端末の別の例を示す概観斜視図である。
【符号の説明】
５０                ＣＦカード
１００              携帯情報端末
１０２              筐体
１０４              挿入口
１０６              基板
１４０              イジェクト機構
１４２              ＣＦカードカバー
１４３              溝
１４４              リブ
１５０              シート状フィルム
１５１              係合部
１５４              蛇腹部
１５６              中央孔
１６０              ＣＦガイド
【図１】
2004264931.tif 000003
【図２】
2004264931.tif 000004
【図３】
2004264931.tif 000005
【図４】
2004264931.tif 000006
【図５】
2004264931.tif 000007
【図６】
2004264931.tif 000008
【図７】
2004264931.tif 000009
【図８】
2004264931.tif 000010